(57)【特許請求の範囲】
【請求項１】
端末装置におけるリファレンス信号の受信品質を示す受信品質情報を取得する取得部と、
前記受信品質情報に基づいて、前記端末装置のためのセルの選択を行う制御部と、
を備え、
前記制御部は、基地局によるビームフォーミング用の重みセットの使用に関する所定の条件が満たされる場合には、前記受信品質情報に基づいて前記選択を行わない、
装置。
【請求項２】
前記所定の条件は、前記基地局によるビームフォーミング用の重みセットの使用状況が所定の程度以上変化することである、請求項１に記載の装置。
【請求項３】
前記所定の条件は、前記基地局により使用されるビームフォーミング用の重みセットが所定の程度以上変化することである、請求項２に記載の装置。
【請求項４】
前記所定の条件は、前記基地局によるビームフォーミング用の重みセットの使用頻度が所定の程度以上変化することである、請求項２に記載の装置。
【請求項５】
前記制御部は、前記所定の条件が満たされた後に、所定の期間にわたり前記受信品質情報に基づいて前記選択を行わない、請求項２〜４のいずれか１項に記載の装置。
【請求項６】
前記所定の条件は、前記基地局によるビームフォーミング用の重みセットの使用頻度が所定の頻度以上であることである、請求項１に記載の装置。
【請求項７】
前記使用頻度は、ビームフォーミング用の重みセットを使用して前記基地局により信号が送信される無線リソースの量又は割合であり、
前記所定の頻度は、所定の量又は割合である、
請求項４又は６に記載の装置。
【請求項８】
前記リファレンス信号は、周波数帯域において送信されるリファレンス信号であり、
前記所定の条件は、前記周波数帯域についての前記基地局によるビームフォーミング用の重みセットの使用に関する条件である、
請求項１〜７のいずれか１項に記載の装置。
【請求項９】
前記基地局は、前記端末装置が接続されている基地局、又は前記端末装置が接続されている基地局の近隣基地局である、請求項１〜８のいずれか１項に記載の装置。
【請求項１０】
前記装置は、前記端末装置が接続されている基地局、当該基地局のための基地局装置、又は当該基地局装置のためのモジュールであり、
前記受信品質情報は、前記端末装置が接続されている前記基地局に前記端末装置により報告される情報であり、
前記セルは、前記端末装置のハンドオーバのターゲットセル、又は、前記端末装置のための、キャリアアグリゲーションのセカンダリセルである、
請求項１〜９のいずれか１項に記載の装置。
【請求項１１】
前記装置は、前記端末装置、又は前記端末装置のためのモジュールであり、
前記選択は、前記端末装置によるセル選択若しくはセル再選択である、
請求項１〜９のいずれか１項に記載の装置。
【請求項１２】
前記制御部は、前記端末装置が接続される前記基地局がビームフォーミング用の１つ以上の重みセットを使用して信号を送信するように、前記端末装置が接続される前記基地局による無線通信を制御し、
前記制御部は、制限された無線リソースでの信号の送信に前記１つ以上の重みセットが使用されるように、前記無線通信を制御する、
請求項１０に記載の装置。
【請求項１３】
端末装置におけるリファレンス信号の受信品質を示す受信品質情報を取得することと、
プロセッサにより、前記受信品質情報に基づいて、前記端末装置のためのセルの選択を行うことと、
を含み、
基地局によるビームフォーミング用の重みセットの使用に関する所定の条件が満たされる場合には、前記受信品質情報に基づいて前記選択は行われない、
方法。
【請求項１４】
ビームフォーミング用の１つ以上の重みセットを取得する取得部と、
基地局が前記１つ以上の重みセットを使用して信号を送信するように、前記基地局による無線通信を制御する制御部と、
を備え、
前記制御部は、制限された無線リソースでの信号の送信に前記１つ以上の重みセットが使用されるように、前記無線通信を制御する、
装置。
【請求項１５】
前記制限された無線リソースは、所定の量又は所定の割合以下の無線リソースである、請求項１４に記載の装置。
【請求項１６】
前記制限された無線リソースは、周波数帯域のうちの一部の帯域の無線リソースであり、
前記一部の帯域は、前記周波数帯域のうちの、所定の帯域を除く帯域である、
請求項１４に記載の装置。
【請求項１７】
前記制御部は、前記所定の帯域を端末装置に通知する、請求項１６に記載の装置。
【請求項１８】
前記制御部は、前記１つ以上の重みセットを信号に乗算することにより、前記無線通信を制御する、請求項１４〜１７のいずれか１項に記載の装置。
【請求項１９】
前記装置は、前記基地局、前記基地局のための基地局装置、又は当該基地局装置のためのモジュールである、請求項１４〜１８のいずれか１項に記載の装置。
【請求項２０】
ビームフォーミング用の１つ以上の重みセットを取得することと、
プロセッサにより、基地局が前記１つ以上の重みセットを使用して信号を送信するように前記基地局による無線通信を制御することと、
を含み、
前記無線通信を制御することは、プロセッサにより、制限された無線リソースでの信号の送信に前記１つ以上の重みセットが使用されるように前記無線通信を制御することを含む、
方法。
【請求項２１】
端末装置におけるリファレンス信号の受信品質を示す受信品質情報を取得する取得部と、
前記受信品質情報に基づいて、前記端末装置のためのセルの選択を行う制御部と、
としてロセッサを機能させるためのプログラムであり、
前記制御部は、基地局によるビームフォーミング用の重みセットの使用に関する所定の条件が満たされる場合には、前記受信品質情報に基づいて前記選択を行わない、
プログラム。
【請求項２２】
端末装置におけるリファレンス信号の受信品質を示す受信品質情報を取得する取得部と、
前記受信品質情報に基づいて、前記端末装置のためのセルの選択を行う制御部と、
としてプロセッサを機能させるためのプログラムを記録した読み取り可能な記録媒体であり、
前記制御部は、基地局によるビームフォーミング用の重みセットの使用に関する所定の条件が満たされる場合には、前記受信品質情報に基づいて前記選択を行わない、
記録媒体。
【請求項２３】
ビームフォーミング用の１つ以上の重みセットを取得する取得部と、
基地局が前記１つ以上の重みセットを使用して信号を送信するように、前記基地局による無線通信を制御する制御部と、
としてロセッサを機能させるためのプログラムであり、
前記制御部は、制限された無線リソースでの信号の送信に前記１つ以上の重みセットが使用されるように、前記無線通信を制御する、
プログラム。
【請求項２４】
ビームフォーミング用の１つ以上の重みセットを取得する取得部と、
基地局が前記１つ以上の重みセットを使用して信号を送信するように、前記基地局による無線通信を制御する制御部と、
としてプロセッサを機能させるためのプログラムを記録した読み取り可能な記録媒体であり、
前記制御部は、制限された無線リソースでの信号の送信に前記１つ以上の重みセットが使用されるように、前記無線通信を制御する、
記録媒体。
【発明の詳細な説明】
【技術分野】
【０００１】
本開示は、装置及び方法に関する。
【背景技術】
【０００２】
現在、３ＧＰＰ（Third  Generation  Partnership  Project）では、爆発的に増加するトラフィックを収容するために、セルラーシステムの容量を向上するための様々な技術が検討されている。将来、現在の１０００倍程度の容量が必要とも言われている。ＭＵ−ＭＩＭＯ（Multi-User  Multi-Input  Multiple-Input  Multiple-Output）及びＣｏＭＰ（Coordinated  Multipoint）などの技術では、セルラーシステムの容量は数倍程度しか増加しないと考えられる。そのため、画期的な手法が求められている。【０００３】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ、又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。【０００４】
なお、ビームフォーミングについての様々な技術が提案されている。例えば、特許文献１には、上りチャネルと下りチャネルとの周波数帯域が異なる場合であっても基地局によるビームフォーミングを実現する技術が、開示されている。
【先行技術文献】
【特許文献】
【０００５】
【特許文献１】特開２０１１−００４０５６
【発明の概要】
【発明が解決しようとする課題】
【０００６】
しかし、ビームフォーミングが行われる場合には、リファレンス信号の受信品質（例えば、ＲＳＲＱ（Reference  Signal  Received  Signal））が大きく変動し得る。例えば、他の基地局からの干渉は、当該他の基地局がビームフォーミングのためにどの重みセットを使用するかによって、大きく変動し得る。そのため、例えば、ＲＳＳＩ（Received  Signal  Strength  Indicator）は大きく変動し、ＲＳＲＱも大きく変動する。とりわけ、上記ビームフォーミングが、ラージスケール（Large-Scale）ＭＩＭＯ又はマッシブ（Massive）ＭＩＭＯのビームフォーミングである場合には、ＲＳＲＱは非常に大きく変動する可能性がある。その結果、例えば、端末装置が無線通信を行うセル（例えば、ハンドオーバのターゲットセル）として望ましくないセルが選択され得る。【０００７】
そこで、ビームフォーミングが行われる環境において端末装置のためにより望ましいセルを選択することを可能にする仕組みが提供されることが望ましい。
【課題を解決するための手段】
【０００８】
本開示によれば、端末装置におけるリファレンス信号の受信品質を示す受信品質情報を取得する取得部と、上記受信品質情報に基づいて、上記端末装置のためのセルの選択を行う制御部と、を備える装置が提供される。上記制御部は、基地局によるビームフォーミング用の重みセットの使用に関する所定の条件が満たされる場合には、上記受信品質情報に基づいて上記選択を行わない。【０００９】
また、本開示によれば、端末装置におけるリファレンス信号の受信品質を示す受信品質情報を取得することと、プロセッサにより、上記受信品質情報に基づいて、上記端末装置のためのセルの選択を行うことと、を含む方法が提供される。基地局によるビームフォーミング用の重みセットの使用に関する所定の条件が満たされる場合には、上記受信品質情報に基づいて上記選択は行われない。【００１０】
また、本開示によれば、ビームフォーミング用の１つ以上の重みセットを取得する取得部と、基地局が上記１つ以上の重みセットを使用して信号を送信するように、上記基地局による無線通信を制御する制御部と、を備える装置が提供される。上記制御部は、制限された無線リソースでの信号の送信に上記１つ以上の重みセットが使用されるように、上記無線通信を制御する。【００１１】
また、本開示によれば、ビームフォーミング用の１つ以上の重みセットを取得することと、プロセッサにより、基地局が上記１つ以上の重みセットを使用して信号を送信するように上記基地局による無線通信を制御することと、
を含む方法が提供される。上記無線通信を制御することは、プロセッサにより、制限された無線リソースでの信号の送信に上記１つ以上の重みセットが使用されるように上記無線通信を制御することを含む。
【発明の効果】
【００１２】
以上説明したように本開示によれば、ビームフォーミングが行われる環境において端末装置のためにより望ましいセルを選択することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１３】
【図１】ラージスケールＭＩＭＯのビームフォーミング用の重みセットを説明するための説明図である。
【図２】重み係数の乗算とリファレンス信号の挿入との関係を説明するための説明図である。
【図３】本開示の実施形態に係る通信システムの概略的な構成の一例を示す説明図である。
【図４】ラージスケールＭＩＭＯのビームフォーミングの例を説明するための第１の説明図である。
【図５】ラージスケールＭＩＭＯのビームフォーミングの例を説明するための第２の説明図である。
【図６】第１の実施形態に係る基地局の構成の一例を示すブロック図である。
【図７】基地局により使用される重みセットの変化の例を説明するための説明図である。
【図８】基地局による重みセットの使用頻度の変化の例を説明するための説明図である。
【図９】基地局による重みセットの使用頻度の例を説明するための説明図である。
【図１０】第１の実施形態に係るセル選択処理の概略的な流れの第１の例を示すフローチャートである。
【図１１】第１の実施形態に係る通知処理の概略的な流れの第１の例を示すフローチャートである。
【図１２】第１の実施形態に係るセル選択処理の概略的な流れの第２の例を示すフローチャートである。
【図１３】第１の実施形態に係る通知処理の概略的な流れの第２の例を示すフローチャートである。
【図１４】第２の実施形態に係る端末装置の構成の一例を示すブロック図である。
【図１５】第３の実施形態に係る基地局の構成の一例を示すブロック図である。
【図１６】一部の帯域でのビームフォーミングの例を説明するための説明図である。
【図１７】第３の実施形態に係る処理の概略的な流れの一例を示すフローチャートである。
【図１８】ｅＮＢの概略的な構成の第１の例を示すブロック図である。
【図１９】ｅＮＢの概略的な構成の第２の例を示すブロック図である。
【図２０】スマートフォンの概略的な構成の一例を示すブロック図である。
【図２１】カーナビゲーション装置の概略的な構成の一例を示すブロック図である。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１６】
なお、説明は以下の順序で行うものとする。
１．はじめに
２．通信システムの概略的な構成
３．第１の実施形態
３．１．基地局の構成
３．２．処理の流れ
４．第２の実施形態
４．１．基地局の構成
４．２．処理の流れ
５．第３の実施形態
５．１．基地局の構成
５．２．処理の流れ
６．応用例
６．１．基地局に関する応用例
６．２．端末装置に関する応用例
７．まとめ
【００１７】
＜＜１．はじめに＞＞
まず、図１及び図２を参照して、ビームフォーミング、測定（measurements）、及びセルの選択を説明する。
【００１８】
（ビームフォーミング）
（ａ）ラージスケールＭＩＭＯの必要性
現在、３ＧＰＰでは、爆発的に増加するトラフィックを収容するために、セルラーシステムの容量を向上するための様々な技術が検討されている。将来、現在の１０００倍程度の容量が必要とも言われている。ＭＵ−ＭＩＭＯ及びＣｏＭＰなどの技術では、セルラーシステムの容量は数倍程度しか増加しないと考えられる。そのため、画期的な手法が求められている。
【００１９】
３ＧＰＰのリリース１０では、ｅＮｏｄｅＢが８本のアンテナを搭載することが規格化されている。よって、当該アンテナによれば、ＳＵ−ＭＩＭＯ（Single-User  Multi-Input  Multiple-Input  Multiple-Output）の場合に８レイヤのＭＩＭＯを実現することができる。８レイヤのＭＩＭＯとは、独立な８つのストリームを空間的に多重する技術である。また、４ユーザに２レイヤのＭＵ−ＭＩＭＯを実現することもできる。
【００２０】
ＵＥ（User  Equipment）ではアンテナの配置のためのスペースが小さいこと、及びＵＥの処理能力には限界があることに起因して、ＵＥのアンテナのアンテナ素子を増やすことは難しい。しかし、近年のアンテナ実装技術の進歩により、１００個程度のアンテナ素子を含む指向性アンテナをｅＮｏｄｅＢに配置することは不可能ではなくなってきている。
【００２１】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。例えば、基地局よりも高い位置（例えば、高層ビルの上層階）に向けたビームを形成することにより、当該位置に存在する端末装置への信号を送信することが、提案されている。
【００２２】
典型的なビームフォーミングでは、水平方向でビームの方向を変えることが可能である。そのため、当該典型的なビームフォーミングは、２次元ビームフォーミングとも言える。一方、ラージスケールＭＩＭＯ（又はマッシブＭＩＭＯ）のビームフォーミングでは、水平方向に加えて垂直方向にもビームの方向を変えることが可能である。そのため、ラージスケールＭＩＭＯのビームフォーミングは、３次元ビームフォーミングとも言える。
【００２３】
なお、アンテナ本数が増えるので、ＭＵ−ＭＩＭＯでのユーザ数を増やすことが可能になる。このような技術は、ラージスケールＭＩＭＯ又はマッシブＭＩＭＯと呼ばれる技術の別の形態である。なお、ＵＥのアンテナ数が２本である場合には、１つのＵＥについての空間的に独立したストリームの数は２本であるので、１つのＵＥについてのストリーム数を増やすよりも、ＭＵ−ＭＩＭＯのユーザ数を増やす方が合理的である。
【００２４】
（ｂ）重みセット
ビームフォーミング用の重みセット（即ち、複数のアンテナ素子のための重み係数のセット）は、複素数として表される。以下、図１を参照して、とりわけラージスケールＭＩＭＯのビームフォーミング用の重みセットの例を説明する。
【００２５】
図１は、ラージスケールＭＩＭＯのビームフォーミング用の重みセットを説明するための説明図である。図１を参照すると、格子状に配置されたアンテナ素子が示されている。また、アンテナ素子が配置された平面上の直行する２つの軸ｘ、ｙ、及び、当該平面に直行する１つの軸ｚも示されている。ここで、形成すべきビームの方向は、例えば、角度phi（ギリシャ文字）及び角度theta（ギリシャ文字）で表される。角度phi（ギリシャ文字）は、ビーム方向のうちのｘｙ平面の成分とｘ軸とのなす角度である。また、角度theta（ギリシャ文字）は、ビーム方向とｚ軸とのなす角度である。この場合に、例えば、ｘ軸方向においてｍ番目に配置され、ｙ軸方向においてｎ番目に配置されるアンテナ素子の重み係数Ｖｍ，ｎは、以下のように表され得る。
【００２６】
【数１】
0006468286.tif 000002
【００２７】
ｆは周波数であり、ｃは光速である。また、ｊは複素数における虚数単位である。また、ｄｘは、ｘ軸方向におけるアンテナ素子の間隔であり、ｄｙは、ｙ軸方向におけるアンテナ素子間の間隔である。なお、アンテナ素子の座標は、以下のように表される。
【００２８】
【数２】
0006468286.tif 000003
【００２９】
なお、典型的なビームフォーミング（２次元ビームフォーミング）用の重みセットは、所望の水平方向へのビームを形成するための重みセットと、アンテナ間の移送の調整のための重みセットとに分解され得る。そのため、ラージスケールＭＩＭＯのビームフォーミング用の重みセットは、所望の垂直方向へのビームを形成するための第１の重みセットと、所望の水平方向へのビームを形成するための第２の重みセットと、アンテナ間の移送の調整のための第３の重みセットとに分解され得る。
【００３０】
（ｃ）ラージスケールＭＩＭＯのビームフォーミングによる環境の変化
ラージスケールＭＩＭＯのビームフォーミングが行われる場合には、利得は１０ｄＢ以上に達する。上記ビームフォーミングを採用するセルラーシステムでは、従来のセルラーシステムと比べて、電波環境の変化が激しくなり得る。
【００３１】
（ｄ）ラージスケールＭＩＭＯのビームフォーミングが行われるケース
例えば、都市部の基地局が高層ビルに向けたビームを形成することが考えられる。また、郊外であっても、スモールセルの基地局が当該基地局の周辺のエリアに向けたビームを形成することが考えられる。なお、郊外のマクロセルの基地局はラージスケールＭＩＭＯのビームフォーミングを行わない可能性が高い。
【００３２】
（測定）
（ａ）ＣＲＳについての測定
ＬＴＥ（Long  Term  Evolution）では、端末装置は、基地局により送信されるＣＲＳ（Cell-specific  Reference  Signal）についての測定を行う。具体的には、端末装置は、基地局により送信されるＣＲＳの受信により、当該基地局と当該端末装置との間の伝搬路の品質の測定を行う。この測定は、「ＲＲＭ（Radio  Resource  Management）測定」、又は単に「測定（measurements）」と呼ばれる。
【００３３】
上記測定の結果は、端末装置のためのセルを選択するために使用される。具体的には、例えば、上記測定の結果は、ＲＲＣ（Radio  Resource  Control）アイドル（RRC  Idle）である端末装置によるセル選択（Cell  Selection）／セル再選択（cell  reselection）に使用される。また、例えば、上記測定の結果は、ＲＲＣ接続（RRC  Connected）である端末装置により基地局に報告され、当該基地局によるハンドオーバ決定（Handover  Decision）に使用される。
【００３４】
上述したように、上記測定は、ＣＲＳの受信により行われる。ＣＲＳは、無指向性の電波の伝送路の品質を測定するための信号であるので、ビームフォーミングなしで送信される。即ち、ＣＲＳは、ビームフォーミング用の重みセットを乗算されずに送信される。
【００３５】
なお、ＤＭ−ＲＳ（Demodulation  Reference  Signal）又はＵＥ固有リファレンス信号（UE  specific  Reference  Signal）と呼ばれる復調用のリファレンス信号もある。当該復調用のリファレンス信号は、ビームフォーミング用の重みセットを乗算されるので、無指向性の電波の伝送路の品質を測定するのには望ましくない。また、ＣＳＩ−ＲＳ（Channel  State  Information  Reference  Signal）と呼ばれるリファレンス信号もある。ＣＳＩ−ＲＳは、ＣＲＳと同様に、ビームフォーミングなしで送信される。しかし、ＣＳＩ−ＲＳの送信頻度が低いので、ＣＳＩ−ＲＳの受信による測定には長い時間がかかる。以下、図２を参照して、重み係数の乗算とリファレンス信号の挿入（又はマッピング）との関係を説明する。
【００３６】
図２は、重み係数の乗算とリファレンス信号の挿入との関係を説明するための説明図である。図２を参照すると、各アンテナ素子９１に対応する送信信号９２は、乗算器９４において重み係数９３を複素乗算される。そして、重み係数９３を複素乗算された送信信号９２が、アンテナ素子９１から送信される。また、ＤＲ−ＭＳ９５は、乗算器９４の前に挿入され、乗算器９４において重み係数９３が複素乗算される。そして、重み係数９３が複素乗算されたＤＲ−ＭＳ９５が、アンテナ素子９１から送信される。一方、ＣＲＳ９６（及びＣＳＩ−ＲＳ）は、乗算器９４の後に挿入される。そして、ＣＲＳ９６（及びＣＳＩ−ＲＳ）は、重み係数９３を乗算されることなく、アンテナ素子９１から送信される。
【００３７】
（ｂ）ＲＳＲＰ及びＲＳＲＱ
ＬＴＥでは、ＣＲＳについての測定は、ＲＳＲＰ（Reference  Signal  Received  Power）及び／又はＲＳＲＱ（Reference  Signal  Received  Quality）の測定である。換言すると、端末装置は、ＣＲＳについての測定の結果として、ＲＳＲＰ及び／又はＲＳＲＱを取得する。ＲＳＲＱは、ＲＳＲＰとＲＳＳＩ（Received  Signal  Strength  Indicator）から算出される。
【００３８】
ＲＳＲＰは、単一のリソースエレメントあたりのＣＲＳの受信電力である。即ち、ＲＳＲＰは、ＣＲＳの受信電力の平均値である。ＣＲＳの受信電力は、ＣＲＳのリソースエレメントにおける受信信号と既知信号であるＣＲＳとの相関の検出により得られる。ＲＳＲＰは、所望信号「Ｓ（Signal）」に対応する。
【００３９】
ＲＳＳＩは、ＯＦＤＭＡ（Orthogonal  Frequency  Division  Multiple  Access）シンボルあたりの信号の総電力である。そのため、ＲＳＳＩは、所望信号、干渉信号及び雑音を含む。即ち、ＲＳＳＩは、「Ｓ（Signal）＋Ｉ（Interference）＋Ｎ（Noise）」に対応する。
【００４０】
ＲＳＲＱは、ＲＳＲＰ／（ＲＳＳＩ／Ｎ）である。Ｎは、ＲＳＳＩの算出に用いられるリソースブロックの数である。当該リソースブロックは、周波数方向に並ぶリソースブロックである。したがって、ＲＳＲＱは、リソースブロック１個あたりのＲＳＳＩでＲＳＲＰを割ることにより得られる値である。即ち、ＲＳＲＱは、ＳＩＮＲ（Signal-to-Interference-plus-Noise  Ratio）に対応する。
【００４１】
以上のように、ＣＲＳについての測定により、受信電力（即ち、ＲＳＲＰ）と、ＳＩＮＲのような受信品質（即ち、ＲＳＲＱ）とが得られる。
【００４２】
（ｃ）平均化による効果
ＲＳＲＰ及びＲＳＲＱを取得するためには、数ミリ秒から数十ミリ秒にわたって信号を受信し、受信電力の平均化を行う必要がある。１スロット又は１サブセットのみの平均化によりＲＳＲＰ及びＲＰＲＱを取得すると、フェージングなどのチャネルの瞬間的な変動に影響されやすくなるからである。
【００４３】
なお、上記平均化の手法は、端末装置ごとに実装されるのであり、規格において具体的に定められていない。
【００４４】
（セルの選択）
（ａ）セルの選択の例
例えば、端末装置は、ＲＲＣアイドル（RRC  Idle）である場合に、セル選択（Cell  Selection）／セル再選択（cell  reselection）を行う。即ち、端末装置は、通信を行うためのセル（例えば、ページングの受信のためのセル）を選択する。
【００４５】
また、例えば、基地局は、ハンドオーバ決定（Handover  Decision）を行う。即ち、基地局は、端末装置のためのターゲットセルを選択し、端末装置のためのサービングセルから上記ターゲットセルへのハンドオーバを決定する。
【００４６】
また、例えば、基地局は、キャリアアグリゲーションのＳｃｅｌｌ（Secondary  Cell）の追加を行う。当該Ｓｃｅｌｌは、ＳＣＣ（Secondary  Component  Carrier）とも呼ばれる。
【００４７】
なお、ここでの「セル」は、基地局の通信エリアを意味してもよく、又は基地局が使用する周波数帯域を意味してもよい。また、ここでの「セル」は、キャリアアグリゲーションのＰｃｅｌｌ（Primary  Cell）又はＳｃｅｌｌであってもよい。上記Ｐｃｅｌｌは、ＰＣＣ（Primary  Component  Carrier）とも呼ばれ、上記Ｓｃｅｌｌは、ＳＣＣ（Secondary  Component  Carrier）とも呼ばれる。
【００４８】
（ｂ）ビームフォーミングが行われる場合のセルの選択
上述したように、ラージスケールＭＩＭＯ又はマッシブＭＩＭＯと呼ばれる技術の一形態では、基地局は、多数のアンテナ素子（例えば、１００個程度のアンテナ素子）を含む指向性アンテナを使用してビームフォーミングを行う。この場合に、基地局は、水平方向のみではなく垂直方向にもビームの方向を変えることができる。そのため、一例として、基地局は、基地局よりも高い位置（例えば、高層ビルの上層階）に向けたビームを形成することにより、高い位置でのスループットを向上させることができる。別の例として、小型の基地局は、近傍のエリアへのビームを形成することにより、隣接基地局との間の干渉を減らすことができる。
【００４９】
ここで、ラージスケールＭＩＭＯのビームフォーミングによる信号の送受信が主流になった場合に、ＣＲＳについての測定の結果に基づいてセルの選択が行われてよいのかという疑問が生じる。
【００５０】
具体的には、ＣＲＳについての測定から分かるのは、あくまで、無指向性の電波の伝送路の品質である。しかし、無指向性の電波の伝送路は、ラージスケールＭＩＭＯのビームフォーミングにより形成される鋭いビームの伝送路とは全く異なる。そのため、当該ビームフォーミングによる信号の送受信が前提である場合には、ＣＲＳについての測定の結果に基づくセルの選択では、適切なセルが選択されない可能性がある。
【００５１】
一例として、ＣＲＳの測定の結果に基づいて選択されたセルで端末装置が信号を送受信すると、隣接基地局からの鋭いビームにより大きい干渉が発生してしまう可能性がある。別の例として、あるセルについてのＣＲＳの測定の結果が、別のセルについてのＣＲＳの測定の結果よりも良好であったとしても、ビームフォーミングが行われる場合には、上記別のセルでの通信品質の方が上記あるセルでの通信品質よりも良好である可能性もある。
【００５２】
以上のように、ビームフォーミングが行われる場合に端末装置のために適切なセルが選択されない可能性がある。
【００５３】
（ｃ）ＣＲＳについての測定が望ましくないケース
上述したように、例えば、ラージスケールＭＩＭＯのビームフォーミングは都市部の基地局又はスモールセルの基地局により行われると考えられる。そのため、これらの基地局のセルの選択がＣＲＳについての測定に基づいて行われることは望ましくない。
【００５４】
＜＜２．通信システムの概略的な構成＞＞
続いて、図３〜図５を参照して、本開示の実施形態に係る通信システム１の概略的な構成を説明する。図３は、本開示の実施形態に係る通信システム１の概略的な構成の一例を示す説明図である。図３を参照すると、通信システム１は、基地局１００及び端末装置２００を含む。通信システム１は、例えば、ＬＴＥ、ＬＴＥ−Ａｄｖａｎｃｅｄ、又はこれらに準ずる通信規格に準拠したシステムである。
【００５５】
（基地局１００）
基地局１００は、端末装置との無線通信を行う。例えば、基地局１００は、基地局１００の通信エリア内に位置する端末装置（例えば、端末装置２００を含む）との無線通信を行う。
（端末装置２００）
端末装置２００は、基地局との無線通信を行う。例えば、端末装置２００は、基地局１００の通信エリア内に位置する場合に、基地局１００との無線通信を行う。
【００５６】
（ビームフォーミングが行われる環境）
とりわけ本開示の実施形態では、基地局により、ビームフォーミングが行われる。当該基地局は、例えば、基地局１００、及び基地局１００の近隣基地局（neighbor  base  station）を含む。例えば、上記ビームフォーミングは、ラージスケールＭＩＭＯのビームフォーミングである。当該ビームフォーミングは、マッシブＭＩＭＯのビームフォーミング、又は３次元ビームフォーミングとも呼ばれ得る。
【００５７】
具体的には、例えば、上記基地局（例えば、基地局１００及び近隣基地局）は、ラージスケールＭＩＭＯに使用可能な指向性アンテナを備える。また、当該基地局は、当該指向性アンテナのための重みセットを送信信号に乗算することにより、ラージスケールＭＩＭＯのビームフォーミングを行う。例えば、当該重みセットは端末装置（例えば、端末装置２００）ごとに決定される。その結果、当該端末装置に向けたビームが形成される。以下、図４及び図５を参照して、ラージスケールＭＩＭＯのビームフォーミングの例を説明する。
【００５８】
図４は、ラージスケールＭＩＭＯのビームフォーミングの例を説明するための第１の説明図である。図４を参照すると、ラージスケールＭＩＭＯに使用可能な指向性アンテナ１０１が示されている。指向性アンテナ１０１は、所望の３次元方向への鋭いビームを形成することができる。例えば、指向性アンテナ１０１によりビーム２１Ａ及びビーム２１Ｂが形成される。
【００５９】
図５は、ラージスケールＭＩＭＯのビームフォーミングの例を説明するための第２の説明図である。図５を参照すると、図４を参照して説明したビーム２１Ａ、２１Ｂが示されている。例えば、ビーム２１Ａはエリア２３Ａに到達し、ビーム２１Ｂはエリア２３Ｂに到達する。そのため、エリア２３Ａ内に位置する端末装置２００Ａは、ビーム２１Ａとして送信される信号を受信することができる。また、エリア２３Ｂ内に位置する端末装置２００Ｂは、ビーム２１Ｂとして送信される信号を受信することができる。基地局１００は、端末装置２００Ａ宛の信号をビーム２１Ａとして送信し、端末装置２００Ｂ宛の信号をビーム２１Ｂとして送信する。
【００６０】
なお、上記基地局（例えば、基地局１００及び近隣基地局）は、例えば、ビームフォーミングを行わずに信号を送信することができる。一例として、上記基地局は、無指向性アンテナを備え、無指向性の電波として信号を送信する。別の例として、上記基地局は、セクタアンテナを備え、セクタビームとして信号を送信してもよい。
【００６１】
＜＜３．第１の実施形態＞＞
続いて、図６〜図１３を参照して、本開示の第１の実施形態を説明する。
【００６２】
第１の実施形態では、基地局１００−１は、端末装置２００−１におけるリファレンス信号の受信品質を示す受信品質情報に基づいて、端末装置２００−１のためのセルの選択を行う。とりわけ、基地局１００−１は、基地局によるビームフォーミング用の重みセットの使用に関する所定の条件が満たされる場合には、上記受信品質情報に基づいて上記選択を行わない。
【００６３】
これにより、例えば、ビームフォーミングが行われる環境において端末装置２００−１のためにより望ましいセルを選択することが可能になる。
【００６４】
＜３．１．基地局の構成＞
まず、図６〜図９を参照して、第１の実施形態に係る基地局１００−１の構成の一例を説明する。図６は、第１の実施形態に係る基地局１００−１の構成の一例を示すブロック図である。図６を参照すると、基地局１００−１は、アンテナ部１１０、無線通信部１２０、ネットワーク通信部１３０、記憶部１４０及び処理部１５０を備える。
【００６５】
（アンテナ部１１０）
アンテナ部１１０は、無線通信部１２０により出力された信号を電波として空間に放射する。また、アンテナ部１１０は、空間の電波を信号に変換し、当該信号を無線通信部１２０へ出力する。
【００６６】
例えば、アンテナ部１１０は、指向性アンテナを含む。例えば、当該指向性アンテナは、ラージスケールＭＩＭＯに使用可能な指向性アンテナである。
【００６７】
また、例えば、アンテナ部１１０は、無指向性アンテナをさらに含む。なお、アンテナ部１１０は、無指向性アンテナの代わりに、又は無指向性アンテナとともに、セクタアンテナを含んでもよい。
【００６８】
（無線通信部１２０）
無線通信部１２０は、信号を送受信する。例えば、無線通信部１２０は、端末装置２００−１へのダウンリンク信号を送信し、端末装置２００−１からのアップリンク信号を受信する。
【００６９】
（ネットワーク通信部１３０）
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００７０】
（記憶部１４０）
記憶部１４０は、基地局１００−１の動作のためのプログラム及びデータを記憶する。
【００７１】
（処理部１５０）
処理部１５０は、基地局１００−１の様々な機能を提供する。処理部１５０は、情報取得部１５１及び制御部１５３を含む。なお、処理部１５０は、これらの構成要素以外の他の構成要素をさらに含み得る。即ち、処理部１５０は、これらの構成要素の動作以外の動作も行い得る。
【００７２】
（情報取得部１５１）
情報取得部１５１は、端末装置２００−１におけるリファレンス信号の受信品質を示す受信品質情報を取得する。
【００７３】
（ａ）受信品質
例えば、上記受信品質は、ＲＳＲＱ（Reference  Signal  Received  Quality）である。即ち、上記受信品質情報は、ＲＳＲＱを示す情報である。
【００７４】
例えば、上記リファレンス信号は、周波数帯域において送信されるリファレンス信号である。当該周波数帯域は、例えば、キャリアアグリゲーションのコンポーネントキャリア（Component  Carrier：ＣＣ）である。なお、例えば、上記リファレンス信号は、ＣＲＳ（Cell-specific  Reference  Signal）である。
【００７５】
（ｂ）端末装置
例えば、端末装置２００−１は、基地局１００−１に接続されている端末装置である。
【００７６】
（ｃ）取得の手法
例えば、端末装置２００−１は、上記受信品質を測定し、当該受信品質を示す受信品質情報を測定結果として基地局１００−１に報告する。即ち、上記受信品質情報は、端末装置２００−１が接続されている基地局１００−１に端末装置２００−１により報告される情報である。そして、当該受信品質情報は、記憶部１４０に記憶される。その後のいずれかのタイミングで、情報取得部１５１は、記憶部１４０から、当該受信品質情報を取得する。
【００７７】
（制御部１５３）
制御部１５３は、上記受信品質情報に基づいて、端末装置２００−１のためのセルの選択を行う。とりわけ第１の実施形態では、制御部１５３は、基地局によるビームフォーミング用の重みセットの使用に関する所定の条件（以下、「重み使用関連条件」と呼ぶ）が満たされる場合には、上記受信品質情報に基づいて上記選択を行わない。
【００７８】
（ａ）セルの選択
第１の例として、上記セルは、端末装置２００−１のハンドオーバのターゲットセルである。即ち、制御部１５３は、上記受信品質情報に基づいて、端末装置２００−１のハンドオーバのターゲットセルの選択を行う。そして、例えば、制御部１５３は、当該ハンドオーバを決定する。
【００７９】
第２の例として、上記セルは、端末装置２００−１のための、キャリアアグリゲーションのセカンダリセルである。即ち、制御部１５３は、上記受信品質情報に基づいて、端末装置２００−１の、キャリアアグリゲーションのセカンダリセルの選択を行う。そして、例えば、制御部１５３は、当該セカンダリセルのアクティベーション又はディアクティベーションを行う。
【００８０】
（ｂ）重み使用関連条件
（ｂ−１）基地局
例えば、上記基地局は、端末装置２００−１が接続されている基地局１００−１、又は基地局１００−１の近隣基地局である。即ち、上記重み使用関連条件は、端末装置２００−１が接続されている基地局１００−１又は基地局１００−１の近隣基地局による重みセットの使用に関する所定の条件である。
【００８１】
（ｂ−２）ビームフォーミング用の重みセット
例えば、上記基地局により使用される重みセットは、ラージスケールＭＩＭＯ（又は、マッシブＭＩＭＯのビームフォーミング若しくは３次元ビームフォーミング）のビームフォーミング用の重みセットである。
【００８２】
なお、上記基地局により使用される重みセットは、従来型のビームフォーミング（例えば、２次元ビームフォーミング）用の重みセットであってもよい。
【００８３】
（ｂ−３）周波数帯域
上述したように、例えば、上記リファレンス信号は、周波数帯域（例えば、ＣＣ）において送信されるリファレンス信号である。そして、上記重み使用関連条件は、上記周波数帯域（例えば、上記ＣＣ）についての上記基地局によるビームフォーミング用の重みセットの使用に関する条件である。
【００８４】
（ｂ−４）重み使用関連条件の第１の例（重みセットの使用状況の変化）
第１の例として、上記重み使用関連条件は、上記基地局によるビームフォーミング用の重みセットの使用状況が所定の程度以上変化することである。即ち、制御部１５３は、上記基地局（例えば、基地局１００−１又は近隣基地局）による重みセットの使用状況が所定の程度以上変化した場合には、上記受信品質情報に基づいて上記選択を行わない。
【００８５】
これにより、例えば、上記基地局により放射されるビームがある程度以上変化し、その結果、上記受信品質情報の信頼性が低くなる場合に、当該受信品質情報に基づくセルの選択が行われなくなる。そのため、端末装置２００−１にとって望ましくないセルが選択される可能性が低くなり得る。換言すると、端末装置２００−１のためにより望ましいセルが選択され得る。
【００８６】
−重みセット
−−一部の重みセット
例えば、上記重み使用関連条件は、上記基地局によるビームフォーミング用の重みセットの一部の使用状況が所定の程度以上変化することである。即ち、制御部１５３は、上記基地局によるビームフォーミング用の重みセットの一部の使用状況が所定の程度以上変化した場合には、上記受信品質情報に基づいて上記選択を行わない。換言すると、使用状況の変化の対象となる重みセットは、上記基地局により使用される重みセットの一部である。
【００８７】
一例として、ビームフォーミング用の重みセットの上記一部は、より高い頻度で使用される重みセット（即ち、より多くの無線リソースについて使用される重みセット）であってもよい。別の例として、ビームフォーミング用の重みセットの上記一部は、上記基地局のセルの中心部に向けられたビームの重みセットを除く重みセット（例えば、セルエッジに向けられたビームの重みセット）であってもよい。
【００８８】
−−全ての重みセット
上記重み使用関連条件は、上記基地局によるビームフォーミング用の重みセットの全ての使用状況が所定の程度以上変化することであってもよい。即ち、制御部１５３は、上記基地局によるビームフォーミング用の重みセットの全ての使用状況が所定の程度以上変化した場合には、上記受信品質情報に基づいて上記選択を行わないようにしてもよい。換言すると、使用状況の変化の対象となる重みセットは、上記基地局により使用される重みセットの全てであってもよい。
【００８９】
−使用状況の変化
−−使用される重みセットの変化
第１の具体例として、上記重み使用関連条件は、上記基地局により使用されるビームフォーミング用の重みセットが所定の程度以上変化することである。即ち、制御部１５３は、上記基地局（例えば、基地局１００−１又は近隣基地局）により使用される重みセットが所定の程度以上変化した場合には、上記受信品質情報に基づいて上記選択を行わない。
【００９０】
例えば、制御部１５３は、上記基地局により使用される重みセットのうちの所定数以上の重みセットが短期間に変化する場合に、上記受信品質情報に基づいて上記選択を行わない。以下、この点について図７を参照して具体例を説明する。
【００９１】
図７は、基地局により使用される重みセットの変化の例を説明するための説明図である。図７を参照すると、期間３１、期間３３及び期間３５が示されている。この例では、基地局は、期間３１では重みセットＶ１、Ｖ２、Ｖ３を使用して信号を送信し、期間３３では重みセットＶ１、Ｖ２を使用して信号を送信し、期間３５では重みセットＶ５、Ｖ６、Ｖ７を使用して信号を送信する。即ち、時点３７で、上記基地局により使用される重みセットのうちの１つの重みセットが変化し、時点３９で、上記基地局により使用される重みセットのうちの３つの重みセットが変化する。例えば、制御部１５３は、２つ以上の重みセットが短期間に変化する場合に、上記受信品質情報に基づいて測定を行わない。この場合に、制御部１５３は、時点３９での重みセットの変化から、２つ以上の重みセットが短期間に変化したと判定し、上記受信品質情報に基づいて端末装置２００−１のためのセルの選択を行わなくなる。
【００９２】
なお、当然ながら、上記基地局により使用される重みセットの所定の程度以上の変化は、上述した例（所定数以上の重みセットの変化）に限られない。様々な変化が適用され得る。一例として、重みセットのグループ間の距離が定義され、制御部１５３は、上記基地局により使用される重みセットのグループが短期間に所定の距離以上変化する場合には、上記受信品質情報に基づいて上記選択を行わないようにしてもよい。
【００９３】
例えば以上のように、制御部１５３は、上記基地局により使用される重みセットが所定の程度以上変化した場合には、上記受信品質情報に基づいて上記選択を行わない。これにより、例えば、上記基地局により放射されるビームの方向がある程度以上の変化し、その結果、上記受信品質情報の信頼性が低くなる場合に、当該受信品質情報に基づくセルの選択が行われなくなる。そのため、端末装置２００−１にとって望ましくないセルが選択される可能性が低くなり得る。
【００９４】
−−重みセットの使用頻度の変化
第２の具体例として、上記重み使用関連条件は、上記基地局によるビームフォーミング用の重みセットの使用頻度が所定の程度以上変化することである。即ち、制御部１５３は、上記基地局（例えば、基地局１００−１又は近隣基地局）による重みセットの使用頻度が所定の程度以上変化する場合には、上記受信品質情報に基づいて上記選択を行わない。
【００９５】
例えば、上記使用頻度は、ビームフォーミング用の重みセットを使用して上記基地局により信号が送信される無線リソースの量又は割合であり、上記所定の頻度は、所定の量又は割合である。即ち、制御部１５３は、重みセットを使用して上記基地局（例えば、基地局１００−１又は近隣基地局）により信号が送信される無線リソースの量又は割合が所定の量又は所定の割合以上変化する場合には、上記受信品質情報に基づいて上記選択を行わない。以下、この点について図８を参照して具体例を説明する。
【００９６】
図８は、基地局による重みセットの使用頻度の変化の例を説明するための説明図である。図８を参照すると、期間４１、期間４３及び期間４５が示されている。この例では、基地局は、期間４１では、帯域幅が２０ＭＨｚであるコンポーネントキャリア（ＣＣ）にわたる１００リソースブロック（ＲＢ）のうちの５０ＲＢ（５０％）において、重みセットを使用して信号を送信する。さらに、基地局は、期間４３では、５５ＲＢ（５５％）において、重みセットを使用して信号を送信し、期間４５では、８０ＲＢ（８０％）において、重みセットを使用して信号を送信する。即ち、時点４７で、重みセットを使用して信号が送信されるＲＢの数が５（５％）だけ増加し、時点４９で、重みセットを使用して信号が送信されるＲＢの数が２５（２５％）だけ増加する。例えば、制御部１５３は、重みセットを使用して信号が送信されるＲＢの数が短期間に２０（２０％）以上増加し又は減少する場合に、上記受信品質情報に基づいて測定を行わない。この場合に、制御部１５３は、時点４９でのＲＢの数の変化から、重みセットを使用して信号が送信されるＲＢの数が短期間に２０以上変化したと判定し、上記受信品質情報に基づいて端末装置２００−１のためのセルの選択を行わなくなる。
【００９７】
これにより、例えば、上記基地局により放射されるビームの量にある程度以上の変化があり、その結果、上記受信品質情報の信頼性が低くなる場合に、当該受信品質情報に基づくセルの選択が行われなくなる。そのため、端末装置２００−１にとって望ましくないセルが選択される可能性が低くなり得る。
【００９８】
−変化後のセルの選択
例えば、制御部１５３は、上記重み使用関連条件が満たされた後に、所定の期間にわたり上記受信品質情報に基づいて上記選択を行わない。また、例えば、制御部１５３は、所定の期間の経過後に、上記受信品質情報に基づいて上記選択を行う。
【００９９】
これにより、例えば、上記基地局により放射されるビームが変化した直後の信頼性の低い受信品質情報に基づいて、セルの選択が行われない。そして、ビームが変化してしばらくすると、変化後のビームの環境における受信品質を示す受信品質情報（即ち、信頼性の高い受信品質情報）に基づいて、セルの選択が行われ得る。そのため、端末装置２００−１のためにより望ましいセルが選択され得る。
【０１００】
−重みセットの使用状況の知得
例えば、制御部１５３は、基地局１００−１によるビームフォーミング用の重みセットの使用状況を知ることができる。よって、制御部１５３は、基地局１００−１についての上記重み使用関連条件が満たされるかを判定することができる。
【０１０１】
例えば、基地局１００−１の近隣基地局によるビームフォーミング用の重みセットの使用状況に関する情報は、当該近隣基地局により基地局１００−１に通知される。上記近隣基地局は、上記使用状況が所定の程度以上変化したことを基地局１００−１に通知してもよく、又は上記使用状況そのもの（例えば、使用される重みセット、又は重みセットの使用頻度）を基地局１００−１に通知してもよい。よって、制御部１５３は、上記近隣基地局についての上記重み使用関連条件が満たされるかを判定することができる。
【０１０２】
なお、例えば、基地局１００−１は、基地局１００−１によるビームフォーミング用の重みセットの使用状況に関する情報を、基地局１００−１の近隣基地局に通知する。基地局１００−１は、上記使用状況が所定の程度以上変化したことを上記近隣基地局に通知してもよく、又は、上記使用状況そのものを上記近隣基地局に通知してもよい。これにより、例えば、当該近隣基地局は、基地局１００−１についての上記重み使用関連条件が満たされるかを判定することができる。
【０１０３】
（ｂ−５）重み使用関連条件の第２の例（重みセットの使用頻度）
第２の例として、上記重み使用関連条件は、上記基地局によるビームフォーミング用の重みセットの使用頻度が所定の頻度以上であることである。即ち、制御部１５３は、上記基地局によるビームフォーミング用の重みセットの使用頻度が所定の頻度以上である場合には、上記受信品質情報に基づいて上記選択を行わない。
【０１０４】
−重みセット
−−一部の重みセット
例えば、上記重み使用関連条件は、上記基地局によるビームフォーミング用の重みセットの一部の使用頻度が所定の頻度以上であることである。即ち、制御部１５３は、上記基地局によるビームフォーミング用の重みセットの一部の使用頻度が所定の頻度以上である場合には、上記受信品質情報に基づいて上記選択を行わない。換言すると、使用頻度の対象となる重みセットは、上記基地局により使用される重みセットの一部である。
【０１０５】
一例として、ビームフォーミング用の重みセットの上記一部は、より高い頻度で使用される重みセット（即ち、より多くの無線リソースについて使用される重みセット）であってもよい。別の例として、ビームフォーミング用の重みセットの上記一部は、上記基地局のセルの中心部に向けられたビームの重みセットを除く重みセット（例えば、セルエッジに向けられたビームの重みセット）であってもよい。
【０１０６】
−−全ての重みセット
上記重み使用関連条件は、上記基地局によるビームフォーミング用の重みセットの全ての使用頻度が所定の頻度以上であることである。即ち、制御部１５３は、上記基地局によるビームフォーミング用の重みセットの全ての使用頻度が所定の頻度以上である場合には、上記受信品質情報に基づいて上記選択を行わないようにしてもよい。換言すると、使用頻度の対象となる重みセットは、上記基地局により使用される重みセットの全てであってもよい。
【０１０７】
これにより、例えば、上記基地局により放射されるビームの量がある程度以上の量であり、上記受信品質がビームにより大きく影響され、その結果、上記受信品質情報の信頼性が低くなる場合に、当該受信品質情報に基づくセルの選択が行われなくなる。そのため、端末装置２００−１にとって望ましくないセルが選択される可能性が低くなり得る。換言すると、端末装置２００−１のためにより望ましいセルが選択され得る。
【０１０８】
−重みセットの使用頻度
例えば、上記使用頻度は、ビームフォーミング用の重みセットを使用して上記基地局により信号が送信される無線リソースの量又は割合であり、上記所定の頻度は、所定の量又は割合である。即ち、制御部１５３は、ビームフォーミング用の重みセットを使用して上記基地局により信号が送信される無線リソースの量又は割合が所定の量又は割合以上である場合には、上記受信品質情報に基づいて上記選択を行わない。以下、この点について図９を参照して具体例を説明する。
【０１０９】
図９は、基地局による重みセットの使用頻度の例を説明するための説明図である。図８を参照すると、期間５１、期間５３及び期間５５が示されている。この例では、基地局は、期間５１では、帯域幅が２０ＭＨｚであるＣＣにわたる１００ＲＢのうちの３０ＲＢ（３０％）において、重みセットを使用して信号を送信する。さらに、基地局は、期間５３では、６０ＲＢ（６０％）において、重みセットを使用して信号を送信し、期間５５では、４５ＲＢ（４５％）において、重みセットを使用して信号を送信する。例えば、制御部１５３は、５０ＲＢ（５０％）以上において重みセットを使用して信号が送信される場合に、上記受信品質情報に基づいて測定を行わない。この場合に、制御部１５３は、期間５３では、５０ＲＢ以上において重みセットを使用して信号が送信されていると判定し、上記受信品質情報に基づいて端末装置２００−１のためのセルの選択を行わない。また、制御部１５３は、期間５１及び期間５３では、５０ＲＢ以上において重みセットを使用して信号が送信されていないと判定し、上記受信品質情報に基づいて端末装置２００−１のためのセルの選択を行う。
【０１１０】
−重みセットの使用頻度の知得
例えば、制御部１５３は、基地局１００−１によるビームフォーミング用の重みセットの使用頻度を知ることができる。よって、制御部１５３は、基地局１００−１についての上記重み使用関連条件が満たされるかを判定することができる。
【０１１１】
例えば、基地局１００−１の近隣基地局によるビームフォーミング用の重みセットの使用頻度に関する情報は、当該近隣基地局により基地局１００−１に通知される。上記近隣基地局は、上記使用頻度が所定の頻度以上であることを基地局１００−１に通知してもよく、又は、上記使用頻度そのものを基地局１００−１に通知してもよい。よって、制御部１５３は、上記近隣基地局についての上記重み使用関連条件が満たされるかを判定することができる。
【０１１２】
なお、例えば、基地局１００−１は、基地局１００−１によるビームフォーミング用の重みセットの使用頻度に関する情報を、基地局１００−１の近隣基地局に通知する。基地局１００−１は、上記使用頻度が所定の頻度以上であることを上記近隣基地局に通知してもよく、又は、上記使用頻度そのものを上記近隣基地局に通知してもよい。これにより、例えば、上記近隣基地局は、基地局１００−１についての上記重み使用関連条件が満たされるかを判定することができる。
【０１１３】
（ｂ−６）重み使用関連条件が満たされる場合の動作
上述したように、制御部１５３は、上記重み使用関連条件が満たされる場合には、上記受信品質情報に基づいて上記選択を行わない。なお、制御部１５３は、上記使用関連条件が満たされる場合に、上記選択そのものを行わなくてもよく、又は、上記受信品質情報以外の情報（例えば、ＲＳＲＰのような受信電力情報）に基づいて上記選択を行ってもよい。
【０１１４】
＜３．２．処理の流れ＞
次に、図１０〜図１３を参照して、第１の実施形態に係る処理の例を説明する。
【０１１５】
（重み使用関連条件の第１の例のケース）
まず、上記重み使用関連条件の第１の例が適用されるケースに係る処理を説明する。上記重み使用関連条件の第１の例は、上記基地局によるビームフォーミング用の重みセットの使用状況が所定の程度以上変化することである。
【０１１６】
（ａ）セル選択処理
図１０は、第１の実施形態に係るセル選択処理の概略的な流れの第１の例を示すフローチャートである。
【０１１７】
情報取得部１５１は、端末装置２００−１におけるリファレンス信号の受信品質を示す受信品質情報を取得し、制御部１５３は、当該受信品質情報に基づいて、端末装置２００−１のためのセルの選択を行う（Ｓ４０１）。
【０１１８】
制御部１５３は、上記基地局（例えば、基地局１００−１又は近隣基地局）による重みセットの使用状況が所定の程度以上変化したかを判定する（Ｓ４０３）。上記使用状況が所定の程度以上変化していなければ、処理はステップＳ４０１へ戻る。
【０１１９】
上記使用状況が所定の程度以上変化していれば、制御部１５３は、タイマを開始させる（Ｓ４０５）。
【０１２０】
そして、制御部１５３は、当該受信品質情報に基づいて端末装置２００−１のためのセルの選択を行わない（Ｓ４０７）。これは、タイマが切れない（Ｓ４０９：ＮＯ）限り継続する。即ち、制御部１５３は、所定の期間にわたり上記受信品質情報に基づいて上記選択を行わない。
【０１２１】
タイマが切れると（Ｓ４０９：ＹＥＳ）、処理はステップＳ４０１へ戻る。
【０１２２】
（ｂ）通知処理
図１１は、第１の実施形態に係る通知処理の概略的な流れの第１の例を示すフローチャートである。
【０１２３】
制御部１５３は、タイマをリセットする（Ｓ４２１）。基地局１００−１による重みセットの使用状況が所定の程度以上変化したかを判定する（Ｓ４２３）。上記使用状況が所定の程度以上変化していなければ（Ｓ４２３：ＮＯ）、処理はステップＳ４２１へ戻る。
【０１２４】
上記使用状況が所定の程度以上変化していれば（Ｓ４２３：ＹＥＳ）、制御部１５３は、タイマを開始させる（Ｓ４２５）。
【０１２５】
そして、制御部１５３は、上記使用状況の変化は一時的なものであったかを判定する（Ｓ４２７）。即ち、制御部１５３は、上記使用状況が元に戻ったかを判定する。この判定は、タイマが切れない（Ｓ４２９：ＮＯ）限り継続する。上記使用状況の変化が一時的なものであったのであれば（Ｓ４２７：ＹＥＳ）、処理はステップＳ４２１へ戻る。
【０１２６】
タイマが切れると（Ｓ４２９：ＹＥＳ）、制御部１５３は、基地局１００−１による重みセットの使用状況が所定の程度以上変化したことを、基地局１００−１の近隣基地局に通知する（Ｓ４３１）。そして、処理はステップＳ４２１へ戻る。
【０１２７】
（重み使用関連条件の第２の例のケース）
次に、上記重み使用関連条件の第２の例が適用されるケースに係る処理を説明する。上記重み使用関連条件の第２の例は、上記基地局によるビームフォーミング用の重みセットの使用頻度が所定の頻度以上であることである。
【０１２８】
（ａ）セル選択処理
図１２は、第１の実施形態に係るセル選択処理の概略的な流れの第２の例を示すフローチャートである。
【０１２９】
制御部１５３は、上記基地局（例えば、基地局１００−１又は近隣基地局）による重みセットの使用頻度が所定の頻度以上であるかを判定する（Ｓ４４１）。
【０１３０】
上記使用頻度使用状況が所定の頻度以上であれば（Ｓ４４１：ＹＥＳ）、制御部１５３は、上記受信品質情報に基づいて端末装置２００−１のためのセルの選択を行わない（Ｓ４４３）。そして、処理はステップＳ４４１へ戻る。
【０１３１】
上記使用頻度使用状況が所定の頻度未満であれば（Ｓ４４１：ＮＯ）、情報取得部１５１は、端末装置２００−１におけるリファレンス信号の受信品質を示す受信品質情報を取得し、制御部１５３は、当該受信品質情報に基づいて、端末装置２００−１のためのセルの選択を行う（Ｓ４４５）。そして、処理はステップＳ４４１へ戻る。
【０１３２】
（ｂ）通知処理
図１３は、第１の実施形態に係る通知処理の概略的な流れの第２の例を示すフローチャートである。
【０１３３】
制御部１５３は、基地局１００−１による重みセットの使用頻度が所定の頻度以上であるかを判定する（Ｓ４６１）。
【０１３４】
上記使用頻度使用状況が所定の頻度以上であれば（Ｓ４６１：ＹＥＳ）、制御部１５３は、基地局１００−１による重みセットの使用頻度が所定の頻度以上であることを、基地局１００−１の近隣基地局に通知する（Ｓ４６３）。そして、処理はステップＳ４６１へ戻る。
【０１３５】
＜＜４．第２の実施形態＞＞
続いて、図１４を参照して、本開示の第２の実施形態を説明する。
【０１３６】
第２の実施形態では、端末装置２００−２は、端末装置２００−２におけるリファレンス信号の受信品質を示す受信品質情報に基づいて、端末装置２００−２のためのセルの選択を行う。端末装置２００−２は、基地局によるビームフォーミング用の重みセットの使用に関する所定の条件が満たされる場合には、上記受信品質情報に基づいて上記選択を行わない。即ち、第１の実施形態では、主体が基地局１００−１であるが、第２の実施形態では、主体が端末装置２００−２である。
【０１３７】
これにより、例えば、ビームフォーミングが行われる環境において端末装置２００−２のためにより望ましいセルを選択することが可能になる。
【０１３８】
＜４．１．端末装置の構成＞
まず、図１４を参照して、第２の実施形態に係る端末装置２００−２の構成の一例を説明する。図１４は、第２の実施形態に係る端末装置２００−２の構成の一例を示すブロック図である。図１４を参照すると、端末装置２００−２は、アンテナ部２１０、無線通信部２２０、記憶部２３０及び処理部２４０を備える。
【０１３９】
（アンテナ部２１０）
アンテナ部２１０は、無線通信部２２０により出力された信号を電波として空間に放射する。また、アンテナ部２１０は、空間の電波を信号に変換し、当該信号を無線通信部２２０へ出力する。
【０１４０】
（無線通信部２２０）
無線通信部２２０は、信号を送受信する。例えば、無線通信部２２０は、基地局１００−２からのダウンリンク信号を受信し、基地局１００−２へのアップリンク信号を送信する。
【０１４１】
（記憶部２３０）
記憶部２３０は、端末装置２００−２の動作のためのプログラム及びデータを記憶する。
【０１４２】
（処理部２４０）
処理部２４０は、端末装置２００−２の様々な機能を提供する。処理部２４０は、情報取得部２４１及び制御部２４３を含む。なお、処理部２４０は、これらの構成要素以外の他の構成要素をさらに含み得る。即ち、処理部２４０は、これらの構成要素の動作以外の動作も行い得る。
【０１４３】
（情報取得部２４１）
情報取得部２４１は、端末装置２００−２におけるリファレンス信号の受信品質を示す受信品質情報を取得する。
【０１４４】
（ａ）受信品質
例えば、上記受信品質は、ＲＳＲＱである。即ち、上記受信品質情報は、ＲＳＲＱを示す情報である。
【０１４５】
例えば、上記リファレンス信号は、周波数帯域において送信されるリファレンス信号である。当該周波数帯域は、例えば、キャリアアグリゲーションのＣＣである。なお、例えば、上記リファレンス信号は、ＣＲＳである。
【０１４６】
（ｂ）取得の手法
例えば、端末装置２００−２（処理部２４０）は、上記受信品質を測定し、当該受信品質を示す受信品質情報を記憶部２３０に記憶する。その後のいずれかのタイミングで、情報取得部２４１は、記憶部２３０から、当該受信品質情報を取得する。
【０１４７】
（制御部２４３）
制御部２４３は、上記受信品質情報に基づいて、端末装置２００−２のためのセルの選択を行う。とりわけ第２の実施形態では、制御部２４３は、基地局によるビームフォーミング用の重みセットの使用に関する所定の条件（即ち、重み使用関連条件）が満たされる場合には、上記受信品質情報に基づいて上記選択を行わない。
【０１４８】
（ａ）セルの選択
例えば、上記選択は、端末装置２００−２によるセル選択（Cell  Selection）又はセル再選択（Cell  Reselection）である。例えば、制御部２４３は、端末装置２００−２がアイドル状態の場合に、セル選択又はセル再選択を行う。
【０１４９】
（ｂ）重み使用関連条件
重み使用関連条件についての説明は、重みセットの使用状況の知得、及び重みセットの使用頻度の知得を除き、第１の実施形態と第２の実施形態との間に差異はない。よって、ここでは、重複する記載を省略し、第２の実施形態における重みセットの使用状況の知得及び重みセットの使用頻度の知得のみを説明する。
【０１５０】
（ｂ−４）重み使用関連条件の第１の例（重みセットの使用状況の変化）
第１の例として、上記重み使用関連条件は、上記基地局によるビームフォーミング用の重みセットの使用状況が所定の程度以上変化することである。即ち、制御部２４３は、上記基地局による重みセットの使用状況が所定の程度以上変化した場合には、上記受信品質情報に基づいて上記選択を行わない。
【０１５１】
−重みセットの使用状況の知得
例えば、上記基地局（基地局１００−２、又は基地局１００−２の近隣基地局）によるビームフォーミング用の重みセットの使用状況に関する情報は、基地局１００−２により端末装置２００−２に通知される。基地局１００−２は、上記使用状況が所定の程度以上変化したことを端末装置２００−２に通知してもよく、又は上記使用状況そのもの（例えば、使用される重みセット、又は重みセットの使用頻度）を端末装置２００−２に通知してもよい。よって、制御部２４３は、上記基地局についての上記重み使用関連条件が満たされるかを判定することができる。
【０１５２】
（ｂ−５）重み使用関連条件の第２の例（重みセットの使用頻度）
第２の例として、上記重み使用関連条件は、上記基地局によるビームフォーミング用の重みセットの使用頻度が所定の頻度以上であることである。即ち、制御部２４３は、上記基地局によるビームフォーミング用の重みセットの使用頻度が所定の頻度以上である場合には、上記受信品質情報に基づいて上記選択を行わない。
【０１５３】
−重みセットの使用頻度の知得
例えば、上記基地局（基地局１００−２、又は基地局１００−２の近隣基地局）によるビームフォーミング用の重みセットの使用頻度に関する情報は、基地局１００−２により端末装置２００−２に通知される。基地局１００−２は、上記使用頻度が所定の程度以上変化したことを端末装置２００−２に通知してもよく、又は上記使用頻度そのものを端末装置２００−２に通知してもよい。よって、制御部２４３は、上記基地局についての上記重み使用関連条件が満たされるかを判定することができる。
【０１５４】
（ｃ）その他（測定報告）
なお、制御部２４３は、上記重み関連条件が満たされる場合に、基地局２００−２への上記受信品質情報の報告を行わなくてもよい。これにより、例えば、信頼性の低い受信品質情報の報告が控えられるので、無線リソースが節約され得る。
【０１５５】
＜４．２．処理の流れ＞
第２の実施形態に係る端末装置２００−２のセル選択処理の説明は、主体を除き（即ち、第１の実施形態では基地局１００−１が主体であり、第２の実施形態では端末装置２００−２が主体であるという点を除き）第１の実施形態と第２の実施形態との間に差異はない。よって、ここでは重複する記載を省略する。なお、第２の実施形態では、「情報取得部１５１」は「情報取得部２４１」に読み替えられ、「制御部１５３」は「制御部２４３」に読み替えられる。
【０１５６】
以上、第２の実施形態を説明した。なお、第２の実施形態に係る基地局１００−２も、第１の実施形態に係る基地局１００−１と同様に動作してもよい。
【０１５７】
＜＜５．第３の実施形態＞＞
続いて、図１５〜図１７を参照して、本開示の第３の実施形態を説明する。
【０１５８】
第３の実施形態では、基地局１００−３は、ビームフォーミング用の１つ以上の重みセットを使用して信号を送信する。とりわけ、基地局１００−３は、制限された無線リソースでの信号の送信に上記１つ以上の重みセットを使用する。
【０１５９】
これにより、例えば、ビームフォーミングが行われる環境において端末装置２００−３のためにより望ましいセルを選択することが可能になる。
【０１６０】
＜５．１．基地局の構成＞
まず、図１５及び図１６を参照して、第３の実施形態に係る基地局１００−３の構成の一例を説明する。図１５は、第３の実施形態に係る基地局１００−３の構成の一例を示すブロック図である。図１５を参照すると、基地局１００−３は、アンテナ部１１０、無線通信部１２０、ネットワーク通信部１３０、記憶部１４０及び処理部１６０を備える。
【０１６１】
アンテナ部１１０、無線通信部１２０、ネットワーク通信部１３０及び記憶部１４０についての説明は、符号の相違を除き、第１の実施形態と第３の実施形態との間で差異はない。よって、ここでは重複する記載を省略し、処理部１６０のみを説明する。
【０１６２】
（処理部１６０）
処理部１６０は、基地局１００−３の様々な機能を提供する。処理部１６０は、情報取得部１６１及び制御部１６３を含む。なお、処理部１６０は、これらの構成要素以外の他の構成要素をさらに含み得る。即ち、処理部１６０は、これらの構成要素の動作以外の動作も行い得る。
【０１６３】
（情報取得部１６１）
情報取得部１６１は、ビームフォーミング用の１つ以上の重みセットを取得する。
【０１６４】
例えば、上記ビームフォーミングは、ラージスケールＭＩＭＯのビームフォーミングである。当該ビームフォーミングは、マッシブＭＩＭＯのビームフォーミング、又は３次元ビームフォーミングとも呼ばれ得る。
【０１６５】
例えば、上記１つ以上の重みセットは、記憶部１４０に記憶され、情報取得部１６１は、記憶部１４０から、上記１つ以上の重みセットを取得する。
【０１６６】
（制御部１６３）
制御部１６３は、基地局１００−３が上記１つ以上の重みセットを使用して信号を送信するように、基地局１００−３による無線通信を制御する。とりわけ第３の実施形態では、制御部１６３は、制限された無線リソースでの信号の送信に上記１つ以上の重みセットが使用されるように、上記無線通信を制御する。
【０１６７】
（ａ）具体的な処理
例えば、制御部１６３は、上記１つ以上の重みセットを信号に乗算することにより、上記無線通信を制御する。
【０１６８】
より具体的には、例えば、制御部１６３は、上記制限された無線リソースで送信される信号に上記１つ以上の重みセットを乗算し、その他の無線リソースで送信される信号に上記１つ以上の重みセットを乗算しない。
【０１６９】
（ｂ）制限された無線リソース
（ｂ−１）第１の例
第１の例として、上記制限された無線リソースは、所定の量又は所定の割合以下の無線リソースである。即ち、制御部１６３は、所定の量又は所定の割合以下の無線リソースでの信号の送信に、上記１つ以上の重みセットが使用されるように、上記無線通信を制御する。換言すると、制御部１６３は、所定の頻度以下で上記１つ以上の重みセットが使用されるように、上記無線通信を制御する。
【０１７０】
例えば、上記制限された無線リソースは、周波数帯域の無線リソースのうちの、所定の量又は所定の割合以下の無線リソースである。より具体的には、例えば、上記制限された無線リソースは、コンポーネントキャリア（ＣＣ）のリソースブロックのうちの、所定の量又は所定の割合以下のリソースブロックである。即ち、制御部１６３は、ＣＣのリソースブロックのうちの所定の量又は所定の割合以下のリソースブロックでの信号の送信に、上記１つ以上の重みセットが使用されるように、上記無線通信を制御する。
【０１７１】
一例として、上記制限された無線リソースは、ＣＣにわたって周波数方向に並ぶリソースブロックのうちの、所定の量又は所定の割合以下のリソースブロックである。具体的には、例えば、上記制限された無線リソースは、２０ＭＨｚのＣＣにわたって周波数方向に並ぶ１００リソースブロックのうち、２０以下のリソースブロック（２０％以下のリソースブロック）である。
【０１７２】
別の例として、上記制限された無線リソースは、ＣＣの所定の期間あたりのリソースブロックのうちの、所定の量又は所定の割合以下のリソースブロックであってもよい。具体的には、上記制限された無線リソースは、２０ＭＨｚのＣＣのサブフレームあたりの２００リソースブロックのうち、４０以下のリソースブロック（２０％以下のリソースブロック）であってもよい。あるいは、上記制限された無線リソースは、２０ＭＨｚのＣＣの無線フレーム（即ち、１０サブフレーム）あたりの２０００リソースブロックのうち、４００以下のリソースブロック（２０％以下のリソースブロック）であってもよい。
【０１７３】
これにより、例えば、基地局１００−３により放射されるビームの量が抑えられる。その結果、端末装置２００−３における受信品質（例えば、ＲＳＲＱ）の変動が小さくなる。その結果、上記受信品質情報の信頼性の低下が抑えられる。よって、端末装置２００−３のためにより望ましいセルが選択され得る。
【０１７４】
（ｂ−２）第２の例
第２の例として、上記制限された無線リソースは、周波数帯域のうちの一部の帯域の無線リソースである。当該一部の帯域は、上記周波数帯域のうちの、所定の帯域を除く帯域である。即ち、制御部１６３は、周波数帯域のうちの一部の帯域（所定の帯域を除く帯域）の無線リソースでの信号の送信に、上記１つ以上の重みセットが使用されるように、上記無線通信を制御する。
【０１７５】
より具体的には、例えば、上記制限された無線リソースは、コンポーネントキャリア（ＣＣ）のうちの一部の帯域（所定の帯域を除く帯域）の無線リソースである。即ち、制御部１６３は、ＣＣのうちの一部の帯域（所定の帯域を除く帯域）の無線リソースでの信号の送信に、上記１つ以上の重みセットが使用されるように、上記無線通信を制御する。以下、この点について図１６を参照して具体例を説明する。
【０１７６】
図１６は、一部の帯域でのビームフォーミングの例を説明するための説明図である。図１６を参照すると、ＣＣ６１の無線リソースが示されている。ＣＣ６１は、帯域６３及び帯域６５を含む。即ち、帯域６３は、ＣＣ５７のうちの一部の帯域であり、帯域６５を除く帯域である。例えば、ＣＣ６１のうちの帯域６３の無線リソース６７（の一部又は全部）での信号の送信に、１つ以上の重みセットが使用される。一方、ＣＣ６１のうちの帯域６５の無線リソース６９での信号の送信には、いずれの重みセットが使用されない。これにより、帯域６３では、ビームフォーミングが行われるが、帯域６５では、ビームフォーミングが行われない。なお、この例では、所定の帯域６５は、ＣＣ６１の中央の所定幅の帯域である。当該所定幅は、例えば、６リソースブロックに相当する幅である。
【０１７７】
これにより、例えば、上記所定の帯域ではビームの影響を受けないので、上記所定の帯域での受信信号強度（例えば、ＲＳＳＩ）は大きく変動しない。そのため、例えば、当該受信信号強度に基づいて、安定的な受信品質（例えば、ＲＳＲＱ）が算出される。即ち、受信品質情報の信頼性の低下が抑えられる。よって、端末装置２００−３のためにより望ましいセルが選択され得る。
【０１７８】
なお、制御部１６３は、上記所定の帯域を端末装置２００−３に通知する。これにより、例えば、端末装置２００−３は上記所定の帯域での受信信号強度を測定することが可能になる。
【０１７９】
（ｂ−３）その他
なお、例えば、上記制限された無線リソースは、物理ダウンリンク制御チャネル（Physical  Downlink  Control  Channel：ＰＤＣＣＨ）が配置されるシンボルの無線リソースを含まず、物理ダウンリンク共有チャネル（Physical  Downlink  Shared  Channel）が配置されるシンボルの無線リソースを含む。一例として、上記制限された無線リソースは、１４シンボルを含むサブフレームのうちの１〜３番目のシンボルの無線リソースを含まず、４〜１４番目のシンボルの無線リソースを含む。
【０１８０】
＜５．２．処理の流れ＞
次に、図１７を参照して、第３の実施形態に係る処理の例を説明する。図１７は、第３の実施形態に係る処理の概略的な流れの一例を示すフローチャートである。
【０１８１】
情報取得部１６１は、ビームフォーミング用の１つ以上の重みセットを取得する（Ｓ５０１）。
【０１８２】
そして、制御部１６３による制御を通じて、基地局１００−３は、制限された無線リソースで上記１つ以上の重みセットを使用して信号を送信する（Ｓ５０３）。なお、制御部１６３による制御を通じて、基地局１００−３は、その他の無線リファレンスでは、上記１つ以上の重みセットを使用せずに信号を送信する。そして、処理はステップＳ５０１へ戻る。
【０１８３】
以上、第３の実施形態を説明した。なお、第３の実施形態は、第１の実施形態と組合せられてもよい。例えば、第１の実施形態に係る基地局１００−１が、第３の実施形態に係る基地局１００−３と同様に動作してもよい。より具体的には、例えば、第１の実施形態に係る制御部１５３は、第３の実施形態に係る制御部１６３による基地局１００−３の無線通信の制御と同様に、基地局１００−１による無線通信を制御してもよい。
【０１８４】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１８５】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１８６】
＜６．１．基地局に関する応用例＞
（第１の応用例）
図１８は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１８７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１８に示したように複数のアンテナ８１０を有し、複数のアンテナ８１０は、例えばｅＮＢ８００が使用する複数の周波数帯域にそれぞれ対応してもよい。なお、図１８にはｅＮＢ８００が複数のアンテナ８１０を有する例を示したが、ｅＮＢ８００は単一のアンテナ８１０を有してもよい。
【０１８８】
基地局装置８２０は、コントローラ８２１、メモリ８２２、ネットワークインタフェース８２３及び無線通信インタフェース８２５を備える。
【０１８９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１９０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１９１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９２】
無線通信インタフェース８２５は、図１８に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１８に示したように複数のＲＦ回路８２７を含み、複数のＲＦ回路８２７は、例えば複数のアンテナ素子にそれぞれ対応してもよい。なお、図１８には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９３】
図１８に示したｅＮＢ８００において、図６を参照して説明した情報取得部１５１及び制御部１５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて情報取得部１５１及び制御部１５３が実装されてもよい。この場合に、上記モジュールは、プロセッサを情報取得部１５１及び制御部１５３として機能させるためのプログラム（換言すると、プロセッサに情報取得部１５１及び制御部１５３の動作を実行させるためのプログラム）を記憶し、当該プログラムを実行してもよい。別の例として、プロセッサを情報取得部１５１及び制御部１５３として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、情報取得部１５１及び制御部１５３を備える装置としてｅＮＢ８００、基地局装置８２０又は上記モジュールが提供されてもよく、プロセッサを情報取得部１５１及び制御部１５３として機能させるためのプログラムが提供されてもよい。また、上記プログラムを記録した読み取り可能な記録媒体が提供されてもよい。なお、これらの点については、図１５を参照して説明した情報取得部１６１及び制御部１６３も、情報取得部１５１及び制御部１５３と同様である。
【０１９４】
また、図１８に示したｅＮＢ８００において、図６を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０１９５】
（第２の応用例）
図１９は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１９６】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１９に示したように複数のアンテナ８４０を有し、複数のアンテナ８４０は、例えばｅＮＢ８３０が使用する複数の周波数帯域にそれぞれ対応してもよい。なお、図１９にはｅＮＢ８３０が複数のアンテナ８４０を有する例を示したが、ｅＮＢ８３０は単一のアンテナ８４０を有してもよい。
【０１９７】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１８を参照して説明したコントローラ８２１、メモリ８２２及びネットワークインタフェース８２３と同様のものである。
【０１９８】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１８を参照して説明したＢＢプロセッサ８２６と同様のものである。無線通信インタフェース８５５は、図１９に示したように複数のＢＢプロセッサ８５６を含み、複数のＢＢプロセッサ８５６は、例えばｅＮＢ８３０が使用する複数の周波数帯域にそれぞれ対応してもよい。なお、図１９には無線通信インタフェース８５５が複数のＢＢプロセッサ８５６を含む例を示したが、無線通信インタフェース８５５は単一のＢＢプロセッサ８５６を含んでもよい。
【０１９９】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２００】
また、ＲＲＨ８６０は、接続インタフェース８６１及び無線通信インタフェース８６３を備える。
【０２０１】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２０２】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１９に示したように複数のＲＦ回路８６４を含み、複数のＲＦ回路８６４は、例えば複数のアンテナ素子にそれぞれ対応してもよい。なお、図１９には無線通信インタフェース８６３が複数のＲＦ回路８６４を含む例を示したが、無線通信インタフェース８６３は単一のＲＦ回路８６４を含んでもよい。
【０２０３】
図１９に示したｅＮＢ８３０において、図６を参照して説明した情報取得部１５１及び制御部１５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部１５１及び制御部１５３が実装されてもよい。この場合に、上記モジュールは、プロセッサを情報取得部１５１及び制御部１５３として機能させるためのプログラム（換言すると、プロセッサに情報取得部１５１及び制御部１５３の動作を実行させるためのプログラム）を記憶し、当該プログラムを実行してもよい。別の例として、プロセッサを情報取得部１５１及び制御部１５３として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、情報取得部１５１及び制御部１５３を備える装置としてｅＮＢ８３０、基地局装置８５０又は上記モジュールが提供されてもよく、プロセッサを情報取得部１５１及び制御部１５３として機能させるためのプログラムが提供されてもよい。また、上記プログラムを記録した読み取り可能な記録媒体が提供されてもよい。なお、これらの点については、図１５を参照して説明した情報取得部１６１及び制御部１６３も、情報取得部１５１及び制御部１５３と同様である。
【０２０４】
また、図１９に示したｅＮＢ８３０において、例えば、図６を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０２０５】
＜６．２．端末装置に関する応用例＞
（第１の応用例）
図２０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２０に示したように複数のＢＢプロセッサ９１３及び複数のＲＦ回路９１４を含んでもよい。なお、図２０には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２０９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２１０】
アンテナスイッチ９１５の各々は、無線通信インタフェース９１２に含まれる複数の回路（例えば、異なる無線通信方式のための回路）の間でアンテナ９１６の接続先を切り替える。
【０２１１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２０に示したように複数のアンテナ９１６を有してもよい。なお、図２０にはスマートフォン９００が複数のアンテナ９１６を有する例を示したが、スマートフォン９００は単一のアンテナ９１６を有してもよい。
【０２１２】
さらに、スマートフォン９００は、無線通信方式ごとにアンテナ９１６を備えてもよい。その場合に、アンテナスイッチ９１５は、スマートフォン９００の構成から省略されてもよい。
【０２１３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２０に示したスマートフォン９００の各ブロックへ電力を供給する。補助コントローラ９１９は、例えば、スリープモードにおいて、スマートフォン９００の必要最低限の機能を動作させる。
【０２１４】
図２０に示したスマートフォン９００において、図１４を参照して説明した情報取得部２４１及び制御部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部２４１及び制御部２４３が実装されてもよい。この場合に、上記モジュールは、プロセッサを情報取得部２４１及び制御部２４３として機能させるためのプログラム（換言すると、プロセッサに情報取得部２４１及び制御部２４３の動作を実行させるためのプログラム）を記憶し、当該プログラムを実行してもよい。別の例として、プロセッサを情報取得部２４１及び制御部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部２４１及び制御部２４３を備える装置としてスマートフォン９００又は上記モジュールが提供されてもよく、プロセッサを情報取得部２４１及び制御部２４３として機能させるためのプログラムが提供されてもよい。また、上記プログラムを記録した読み取り可能な記録媒体が提供されてもよい。
【０２１５】
また、図２０に示したスマートフォン９００において、例えば、図１４を参照して説明した無線通信部２２０は、無線通信インタフェース９１２（例えば、ＲＦ回路９１４）において実装されてもよい。また、アンテナ部２１０は、アンテナ９１６において実装されてもよい。
【０２１６】
（第２の応用例）
図２１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２２０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２１に示したように複数のＢＢプロセッサ９３４及び複数のＲＦ回路９３５を含んでもよい。なお、図２１には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２２１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２２２】
アンテナスイッチ９３６の各々は、無線通信インタフェース９３３に含まれる複数の回路（例えば、異なる無線通信方式のための回路）の間でアンテナ９３７の接続先を切り替える。
【０２２３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２１に示したように複数のアンテナ９３７を有してもよい。なお、図２１にはカーナビゲーション装置９２０が複数のアンテナ９３７を有する例を示したが、カーナビゲーション装置９２０は単一のアンテナ９３７を有してもよい。
【０２２４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２５】
バッテリー９３８は、図中に破線で部分的に示した給電ラインを介して、図２１に示したカーナビゲーション装置９２０の各ブロックへ電力を供給する。また、バッテリー９３８は、車両側から給電される電力を蓄積する。
【０２２６】
図２１に示したカーナビゲーション装置９２０において、図１４を参照して説明した処理部２４０に含まれる情報取得部２４１及び制御部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部２４１及び制御部２４３が実装されてもよい。この場合に、上記モジュールは、プロセッサを情報取得部２４１及び制御部２４３として機能させるためのプログラム（換言すると、プロセッサに情報取得部２４１及び制御部２４３の動作を実行させるためのプログラム）を記憶し、当該プログラムを実行してもよい。別の例として、プロセッサを情報取得部２４１及び制御部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部２４１及び制御部２４３を備える装置としてカーナビゲーション装置９２０又は上記モジュールが提供されてもよく、プロセッサを情報取得部２４１及び制御部２４３として機能させるためのプログラムが提供されてもよい。また、上記プログラムを記録した読み取り可能な記録媒体が提供されてもよい。
【０２２７】
また、図２１に示したカーナビゲーション装置９２０において、例えば、図１４を参照して説明した無線通信部２２０は、無線通信インタフェース９３３（例えば、ＲＦ回路９３５）において実装されてもよい。また、アンテナ部２１０は、アンテナ９３７において実装されてもよい。
【０２２８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部２４１及び制御部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２２９】
＜＜７．まとめ＞＞
ここまで、図３〜図２１を参照して、本開示の実施形態に係る装置及び処理を説明した。
【０２３０】
（第１の実施形態）
第１の実施形態によれば、基地局１００−１は、端末装置２００−１におけるリファレンス信号の受信品質を示す受信品質情報を取得する情報取得部１５１と、上記受信品質情報に基づいて、端末装置２００−１のためのセルの選択を行う制御部１５３と、を備える。制御部１５３は、基地局によるビームフォーミング用の重みセットの使用に関する所定の条件が満たされる場合には、上記受信品質情報に基づいて上記選択を行わない。
【０２３１】
（第２の実施形態）
第２の実施形態によれば、端末装置２００−２は、端末装置２００−２におけるリファレンス信号の受信品質を示す受信品質情報を取得する情報取得部２４１と、上記受信品質情報に基づいて、端末装置２００−２のためのセルの選択を行う制御部２４３と、を備える。制御部２４３は、基地局によるビームフォーミング用の重みセットの使用に関する所定の条件が満たされる場合には、上記受信品質情報に基づいて上記選択を行わない。
【０２３２】
（第３の実施形態）
第３の実施形態によれば、基地局１００−３は、ビームフォーミング用の１つ以上の重みセットを取得する情報取得部１６１と、基地局１００−３が上記１つ以上の重みセットを使用して信号を送信するように、基地局１００−３による無線通信を制御する制御部１６３と、を備える。制御部１６３は、制限された無線リソースでの信号の送信に上記１つ以上の重みセットが使用されるように、上記無線通信を制御する。
【０２３３】
第１〜第３の実施形態によれば、例えば、ビームフォーミングが行われる環境において端末装置のためにより望ましいセルを選択することが可能になる。
【０２３４】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２３５】
例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、他の通信規格に準拠したシステムであってもよい。
【０２３６】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２３７】
また、本明細書の装置（例えば、基地局、基地局のための基地局装置、若しくは基地局装置のためのモジュール、又は、端末装置、若しくは端末装置のためのモジュール）に備えられるプロセッサ（例えば、ＣＰＵ、ＤＳＰなど）を上記装置として機能させるためのコンピュータプログラム（換言すると、上記プロセッサに上位装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び制御部など）の動作を含む方法も、本開示に係る技術に含まれる。
【０２３８】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２３９】
なお、以下のような構成も本開示の技術的範囲に属する。
（１）
端末装置におけるリファレンス信号の受信品質を示す受信品質情報を取得する取得部と、
前記受信品質情報に基づいて、前記端末装置のためのセルの選択を行う制御部と、
を備え、
前記制御部は、基地局によるビームフォーミング用の重みセットの使用に関する所定の条件が満たされる場合には、前記受信品質情報に基づいて前記選択を行わない、
装置。
（２）
前記所定の条件は、前記基地局によるビームフォーミング用の重みセットの使用状況が所定の程度以上変化することである、前記（１）に記載の装置。
（３）
前記所定の条件は、前記基地局により使用されるビームフォーミング用の重みセットが所定の程度以上変化することである、前記（２）に記載の装置。
（４）
前記所定の条件は、前記基地局によるビームフォーミング用の重みセットの使用頻度が所定の程度以上変化することである、前記（２）に記載の装置。
（５）
前記制御部は、前記所定の条件が満たされた後に、所定の期間にわたり前記受信品質情報に基づいて前記選択を行わない、前記（２）〜（４）のいずれか１項に記載の装置。
（６）
前記所定の条件は、前記基地局によるビームフォーミング用の重みセットの使用頻度が所定の頻度以上であることである、前記（１）に記載の装置。
（７）
前記使用頻度は、ビームフォーミング用の重みセットを使用して前記基地局により信号が送信される無線リソースの量又は割合であり、
前記所定の頻度は、所定の量又は割合である、
前記（４）又は（６）に記載の装置。
（８）
前記リファレンス信号は、周波数帯域において送信されるリファレンス信号であり、
前記所定の条件は、前記周波数帯域についての前記基地局によるビームフォーミング用の重みセットの使用に関する条件である、
前記（１）〜（７）のいずれか１項に記載の装置。
（９）
前記基地局は、前記端末装置が接続されている基地局、又は前記端末装置が接続されている基地局の近隣基地局である、前記（１）〜（８）のいずれか１項に記載の装置。
（１０）
前記装置は、前記端末装置が接続されている基地局、当該基地局のための基地局装置、又は当該基地局装置のためのモジュールであり、
前記受信品質情報は、前記端末装置が接続されている前記基地局に前記端末装置により報告される情報であり、
前記セルは、前記端末装置のハンドオーバのターゲットセル、又は、前記端末装置のための、キャリアアグリゲーションのセカンダリセルである、
前記（１）〜（９）のいずれか１項に記載の装置。
（１１）
前記装置は、前記端末装置、又は前記端末装置のためのモジュールであり、
前記選択は、前記端末装置によるセル選択若しくはセル再選択である、
前記（１）〜（９）のいずれか１項に記載の装置。
（１２）
前記制御部は、前記端末装置が接続される前記基地局がビームフォーミング用の１つ以上の重みセットを使用して信号を送信するように、前記端末装置が接続される前記基地局による無線通信を制御し、
前記制御部は、制限された無線リソースでの信号の送信に前記１つ以上の重みセットが使用されるように、前記無線通信を制御する、
前記（１０）に記載の装置。
（１３）
端末装置におけるリファレンス信号の受信品質を示す受信品質情報を取得することと、
プロセッサにより、前記受信品質情報に基づいて、前記端末装置のためのセルの選択を行うことと、
を含み、
基地局によるビームフォーミング用の重みセットの使用に関する所定の条件が満たされる場合には、前記受信品質情報に基づいて前記選択は行われない、
方法。
（１４）
ビームフォーミング用の１つ以上の重みセットを取得する取得部と、
基地局が前記１つ以上の重みセットを使用して信号を送信するように、前記基地局による無線通信を制御する制御部と、
を備え、
前記制御部は、制限された無線リソースでの信号の送信に前記１つ以上の重みセットが使用されるように、前記無線通信を制御する、
装置。
（１５）
前記制限された無線リソースは、所定の量又は所定の割合以下の無線リソースである、前記（１４）に記載の装置。
（１６）
前記制限された無線リソースは、周波数帯域のうちの一部の帯域の無線リソースであり、
前記一部の帯域は、前記周波数帯域のうちの、所定の帯域を除く帯域である、
前記（１４）に記載の装置。
（１７）
前記制御部は、前記所定の帯域を端末装置に通知する、前記（１６）に記載の装置。
（１８）
前記制御部は、前記１つ以上の重みセットを信号に乗算することにより、前記無線通信を制御する、前記（１４）〜（１７）のいずれか１項に記載の装置。
（１９）
前記装置は、前記基地局、前記基地局のための基地局装置、又は当該基地局装置のためのモジュールである、前記（１４）〜（１８）のいずれか１項に記載の装置。
（２０）
ビームフォーミング用の１つ以上の重みセットを取得することと、
プロセッサにより、基地局が前記１つ以上の重みセットを使用して信号を送信するように前記基地局による無線通信を制御することと、
を含み、
前記無線通信を制御することは、プロセッサにより、制限された無線リソースでの信号の送信に前記１つ以上の重みセットが使用されるように前記無線通信を制御することを含む、
方法。
（２１）
端末装置におけるリファレンス信号の受信品質を示す受信品質情報を取得する取得部と、
前記受信品質情報に基づいて、前記端末装置のためのセルの選択を行う制御部と、
としてロセッサを機能させるためのプログラムであり、
前記制御部は、基地局によるビームフォーミング用の重みセットの使用に関する所定の条件が満たされる場合には、前記受信品質情報に基づいて前記選択を行わない、
プログラム。
（２２）
端末装置におけるリファレンス信号の受信品質を示す受信品質情報を取得する取得部と、
前記受信品質情報に基づいて、前記端末装置のためのセルの選択を行う制御部と、
としてプロセッサを機能させるためのプログラムを記録した読み取り可能な記録媒体であり、
前記制御部は、基地局によるビームフォーミング用の重みセットの使用に関する所定の条件が満たされる場合には、前記受信品質情報に基づいて前記選択を行わない、
記録媒体。
（２３）
ビームフォーミング用の１つ以上の重みセットを取得する取得部と、
基地局が前記１つ以上の重みセットを使用して信号を送信するように、前記基地局による無線通信を制御する制御部と、
としてロセッサを機能させるためのプログラムであり、
前記制御部は、制限された無線リソースでの信号の送信に前記１つ以上の重みセットが使用されるように、前記無線通信を制御する、
プログラム。
（２４）
ビームフォーミング用の１つ以上の重みセットを取得する取得部と、
基地局が前記１つ以上の重みセットを使用して信号を送信するように、前記基地局による無線通信を制御する制御部と、
としてプロセッサを機能させるためのプログラムを記録した読み取り可能な記録媒体であり、
前記制御部は、制限された無線リソースでの信号の送信に前記１つ以上の重みセットが使用されるように、前記無線通信を制御する、
記録媒体。
【符号の説明】
【０２４０】
１                通信システム
１００            基地局
１５１、１６１    情報取得部
１５３、１６３    制御部
２００            端末装置
２４１            情報取得部
２４３            制御部
【図１】
0006468286.tif 000004
【図２】
0006468286.tif 000005
【図３】
0006468286.tif 000006
【図４】
0006468286.tif 000007
【図５】
0006468286.tif 000008
【図６】
0006468286.tif 000009
【図７】
0006468286.tif 000010
【図８】
0006468286.tif 000011
【図９】
0006468286.tif 000012
【図１０】
0006468286.tif 000013
【図１１】
0006468286.tif 000014
【図１２】
0006468286.tif 000015
【図１３】
0006468286.tif 000016
【図１４】
0006468286.tif 000017
【図１５】
0006468286.tif 000018
【図１６】
0006468286.tif 000019
【図１７】
0006468286.tif 000020
【図１８】
0006468286.tif 000021
【図１９】
0006468286.tif 000022
【図２０】
0006468286.tif 000023
【図２１】
0006468286.tif 000024